(57)【要約】【課題】乗員の意図しないタイミングでの車両シートの変更が抑えられる車両シート制御装置を提供する。【解決手段】車両シートの状態を変更する駆動部１６と、車両シートに作用する荷重を検出する荷重センサ２１ａ〜２１ｄと、荷重センサ２１ａ〜２１ｄによって検出された荷重に基づき、駆動部１６を制御するパワーシート制御ＥＣＵ２２と、乗員のシート状態変更の意志の有無を検出する第１接触センサ２３とを備える。パワーシート制御ＥＣＵ２２は、荷重センサ２１ａ〜２１ｄによって荷重が検出され、第１接触センサ２３によってシート状態変更の意志があると検出した場合に駆動部１６による変更を許可する。【選択図】図２
2019111874.tif 000002
【特許請求の範囲】
【請求項１】
車両シートの状態を変更するシート状態変更部と、
前記車両シートに作用する荷重を検出する荷重検出部と、
前記荷重検出部によって検出された荷重に基づき、前記シート状態変更部を制御する制御部と、
乗員のシート状態変更の意志の有無を検出する意志検出部と、
前記荷重検出部によって荷重が検出され、前記意志検出部によって前記シート状態変更の意志があると検出した場合に前記シート状態変更部による変更を許可する変更許可部と、
を備えたことを特徴とする車両シート制御装置。
【請求項２】
前記意志検出部は、乗員の接触の有無を検出する接触センサであり、該接触センサに対して前記乗員が接触した状態と検出した場合に、前記シート状態変更の意志があるとすることを特徴とする請求項１に記載の車両シート制御装置。
【請求項３】
前記接触センサは、前記車両シートに設けられることを特徴とする請求項２に記載の車両シート制御装置。
【請求項４】
前記接触センサは、前記車両シートの一対のアームレストの少なくとも一方に設けられることを特徴とする請求項３に記載の車両シート制御装置。
【請求項５】
前記接触センサは、前記一対のアームレストのそれぞれに対応して設けられ、
前記変更許可部は、前記荷重検出部が荷重を検出し、前記一対のアームレストのそれぞれに対応して設けられた接触センサの両方において、乗員が接触した状態と検出した場合に前記シート状態変更部による変更を許可することを特徴とする請求項４に記載の車両シート制御装置。
【請求項６】
前記変更許可部は、前記接触センサによって乗員が接触していないことを検出した際に前記シート状態変更部による変更を禁止することを特徴とする請求項２〜５のいずれか１項に記載の車両シート制御装置。
【発明の詳細な説明】
【技術分野】
【０００１】
本発明は、車両シート制御装置に関する。
【背景技術】
【０００２】
従来、車両シートの各所に設けられた荷重センサから得られる乗員の荷重情報に基づき、車両シートの姿勢（状態）を変更する車両シート制御装置が知られている（例えば特許文献１参照）。
【０００３】
このような車両シート制御装置では、固定モードと操作モードとに切り替え可能なモード切替スイッチが設けられて、固定モード中においては車両シートの姿勢の変更を禁止し、操作モード中においては車両シートの姿勢の変更を許可するようになっている。
【先行技術文献】
【特許文献】
【０００４】
【特許文献１】特開２００８−１９５３２３号公報
【発明の概要】
【発明が解決しようとする課題】
【０００５】
ところで、上記のような車両シート制御装置では、モード切替スイッチが操作モード中である場合に車両シートの姿勢が変更可能となっている。このため、例えばモード切替スイッチの状態について操作モード中か否かを乗員が把握していなければならず、例えば切替スイッチの状態が操作モード中と把握できていない状況下では、乗員の意図しないタイミングで車両シートの姿勢が変更される虞がある。
【０００６】
本発明は、上記課題を解決するためになされたものであって、その目的は、乗員の意図しないタイミングでの車両シートの変更が抑えられる車両シート制御装置を提供することにある。
【課題を解決するための手段】
【０００７】
上記課題を解決する車両シート制御装置は、車両シートの状態を変更するシート状態変更部と、前記車両シートに作用する荷重を検出する荷重検出部と、前記荷重検出部によって検出された荷重に基づき、前記シート状態変更部を制御する制御部と、乗員のシート状態変更の意志の有無を検出する意志検出部と、前記荷重検出部によって荷重が検出され、前記意志検出部によって前記シート状態変更の意志があると検出した場合に前記シート状態変更部による変更を許可する変更許可部と、を備える。
【０００８】
上記態様によれば、意志検出部によってシート状態変更の意志が検出された場合に、荷重検出部によって検出された荷重に基づきシート状態変更部による変更が許可されるため、乗員の意図しないタイミングでの車両シートの状態の変更が抑えられる。
【０００９】
上記車両シート制御装置において、前記意志検出部は、乗員の接触の有無を検出する接触センサであり、該接触センサに対して前記乗員が接触した状態と検出した場合に、前記シート状態変更の意志があるとすることが好ましい。
【００１０】
上記態様によれば、乗員の接触の有無によってシート状態変更の意志の有無を判定する。つまり、乗員が接触可能な接触センサを用いることでシート状態変更の意志を判定することができる。
【００１１】
上記車両シート制御装置において、前記接触センサは、前記車両シートに設けられることが好ましい。
上記態様によれば、接触センサが車両シートに設けられるため、車両シートの状態が変更された場合であっても乗員との位置関係の変化が抑えられる。その結果接触センサを容易に操作することが可能となる。
【００１２】
上記車両シート制御装置において、前記接触センサは、前記車両シートの一対のアームレストの少なくとも一方に設けられることが好ましい。
上記態様によれば、接触センサがアームレストの少なくとも一方に設けられるため、車両シートの状態が変更された場合であっても乗員との位置関係の変化が抑えられる。その結果接触センサを容易に操作することが可能となる。
【００１３】
上記車両シート制御装置において、前記接触センサは、前記一対のアームレストのそれぞれに対応して設けられ、前記変更許可部は、前記荷重検出部が荷重を検出し、前記一対のアームレストのそれぞれに対応して設けられた接触センサの両方において、乗員が接触した状態と検出した場合に前記シート状態変更部による変更を許可することが好ましい。
【００１４】
上記態様によれば、一対のアームレストのそれぞれに設けられた接触センサの両方が接触した状態と検出した場合にシート状態変更部による変更が許可される。そのため、乗員の意図しないタイミングでの車両シートの状態の変更がより確実に抑えることができる。
【００１５】
上記車両シート制御装置において、前記変更許可部は、前記接触センサによって乗員が接触していないことを検出した際に前記シート状態変更による変更を禁止することが好ましい。
【００１６】
上記態様によれば、接触センサによって乗員が接触していないことを検出した際に前記シート状態変更部による変更が禁止されるため、乗員の意図しないタイミングでの車両シートの状態の変更が抑えられる。
【発明の効果】
【００１７】
本発明の車両シート制御装置によれば、乗員の意図しないタイミングでの車両シートの変更が抑えられる。
【図面の簡単な説明】
【００１８】
【図１】一実施形態における車両シートの概略構成図。
【図２】同実施形態における車両シート制御装置の制御ブロック図。
【図３】同実施形態における車両シートの上面図。
【発明を実施するための形態】
【００１９】
以下、車両シート制御装置を有する車両シートの一実施形態について説明する。
図１に示すように、本実施形態の車両シート１０は、乗員が着座可能なシートクッション１１と、乗員の背中を支持可能なシートバック１２と、乗員の頭部を支持可能なヘッドレスト１３と、乗員の脚部を支持可能なオットマン１４と、乗員の腕を支持可能な一対のアームレスト１５とを有する。本例の車両シート１０は、シートクッション１１、シートバック１２、ヘッドレスト１３、オットマン１４及びアームレスト１５の内部に図示しないフレームが設けられ、これらのフレームによって例えば車両シート１０の形状維持がなされている。
【００２０】
シートバック１２は、シートクッション１１の後部側に傾動可能に設けられる。また、ヘッドレスト１３は、シートバック１２におけるシートクッション１１とは反対側の端部（図１において上部）側に設けられる。オットマン１４は、シートクッション１１の前部側に傾動可能に設けられる。
【００２１】
図１及び図３に示すように一対のアームレスト１５は、それぞれシートバック１２の左右両側から前方に延出するように設けられる。
また、車両シート１０は、駆動部１６が設けられる。駆動部１６は、車両シート制御装置２０からの制御信号に応じてモータＭが駆動されることにより車両シート１０の姿勢（状態）を変更するものである。車両シート１０の姿勢や位置の変更例としては、車両シート１０の上下位置、前後位置、シートバック１２の傾動角度、オットマン１４の傾動角度、シートクッション１１の前端側の傾動角度の変更などが挙げられる。なお、これらは一例であって、その他の位置を変更するものであってもよい。
【００２２】
図２に示すように、車両シート制御装置２０は、複数の荷重センサ２１ａ〜２１ｄと、該荷重センサ２１ａ〜２１ｄの検出結果に基づいて駆動部１６を制御するパワーシート制御ＥＣＵ２２と、第１接触センサ２３と、第２接触センサ２４とを有する。
【００２３】
荷重センサ２１ａ〜２１ｄは、シートクッション用荷重センサ２１ａと、シートバック用荷重センサ２１ｂと、ヘッドレスト用荷重センサ２１ｃと、オットマン用荷重センサ２１ｄとを有する。シートクッション用荷重センサ２１ａは、シートクッション１１に設けられてシートクッション１１に作用する荷重を検出する。シートバック用荷重センサ２１ｂは、シートバック１２に設けられてシートバック１２に作用する荷重を検出する。ヘッドレスト用荷重センサ２１ｃは、ヘッドレスト１３に設けられてヘッドレストに作用する荷重を検出する。オットマン用荷重センサ２１ｄは、オットマン１４に設けられてオットマン１４に作用する荷重を検出する。各荷重センサ２１ａ〜２１ｄは、例えば、歪みゲージなどのセンサを用いることができる、各荷重センサ２１ａ〜２１ｄは、検出結果をパワーシート制御ＥＣＵ２２に出力する。
【００２４】
パワーシート制御ＥＣＵ２２は、各荷重センサ２１ａ〜２１ｄの検出結果に基づいて車両シート１０の各部に加わる荷重の変化を算出して、算出した荷重の変化に基づいて駆動部１６を制御する。
【００２５】
図３に示すように、第１接触センサ２３は、一対のアームレスト１５のそれぞれに設けられる。より具体的には、アームレスト１５の上面１５ａにおける前方側に第１接触センサ２３が設けられ、例えば車両シート１０に着座した乗員の手（掌）が位置しやすい個所に設けられることが好ましい。第１接触センサ２３は、乗員が接触しているか否かの情報をパワーシート制御ＥＣＵ２２に対して出力するものである。
【００２６】
第２接触センサ２４は、例えば右側のアームレスト１５のみに設けられる。より具体的には、第２接触センサ２４は、右側のアームレスト１５の側面１５ｂにおける、第１接触センサ２３の近傍に設けられ、例えば車両シート１０に着座した乗員が前記第１接触センサ２３を触った状態で例えば同乗員の親指等で操作できる位置に設けられることが好ましい。第２接触センサ２４は、所謂タッチパネルであって例えばダブルタップ操作（指で２回タッチする操作）を認識することができ、ダブルタップ操作がなされた旨の信号をパワーシート制御ＥＣＵ２２に対して出力するものである。パワーシート制御ＥＣＵ２２は、例えば、第２接触センサ２４がダブルタップ操作された場合には車両シート１０の駆動部１６による変更量を小さくする。このときの変更量は、車両シート１０に求められる仕様等によって異なるものである。
【００２７】
本実施形態の作用を説明する。
本実施形態の車両シート制御装置２０では、各第１接触センサ２３が接触した旨の信号がパワーシート制御ＥＣＵ２２に出力されると、各荷重センサ２１ａ〜２１ｄから得られた荷重情報に基づいて駆動部１６を制御して車両シート１０の状態を変更する。その一例として、車両シート１０の前後位置の変更例について説明する。
【００２８】
例えば、パワーシート制御ＥＣＵ２２は、第１接触センサ２３から接触した旨の信号が出力されるとともに、シートクッション用荷重センサ２１ａによって得られたシートクッション１１の荷重情報によって、シートクッション１１の前方側での荷重が後方側での荷重よりも大きいと判定した場合、駆動部１６を制御して車両シート１０を前方に移動させる。また、パワーシート制御ＥＣＵ２２は、第１接触センサ２３から接触した旨の信号が出力されるとともに、シートクッション用荷重センサ２１ａによって得られたシートクッション１１の荷重情報によってシートクッション１１の後方側での荷重が前方側での荷重よりも大きいと判定した場合、駆動部１６を制御して車両シート１０を後方に移動させる。また、パワーシート制御ＥＣＵ２２は、第１接触センサ２３において接触していない状態と検出された場合、駆動部１６による変更を禁止し、前述した車両シート１０の前後方向への動作を終了する。
【００２９】
また、上述した車両シート１０の前後方向の位置調整において第２接触センサ２４がフリック操作された場合に、パワーシート制御ＥＣＵ２２は、車両シート１０の位置調整時の変更量（移動量）を変更する。例えば乗員が第２接触センサ２４をダブルタップ操作した場合には、基準の変更量（基準変更量）よりも小さな変更量で車両シート１０の位置調整ができ、細かい位置調整を行うことができる。
【００３０】
本実施形態の効果を記載する。
（１）意志検出部としての第１接触センサ２３によってシート状態変更の意志が検出された場合に、荷重センサ２１ａ〜２１ｄによって検出された荷重に基づき駆動部１６による変更が許可されるため、乗員の意図しないタイミングでの車両シート１０の状態の変更が抑えられる。
【００３１】
（２）乗員の接触の有無によってシート状態変更の意志の有無を判定する。つまり、乗員が接触可能な第１接触センサ２３を用いることでシート状態変更の意志を判定することができる。
【００３２】
（３）第１接触センサ２３が車両シート１０に設けられるため、車両シート１０の状態が変更された場合であっても乗員との位置関係の変化が抑えられる。その結果、第１接触センサ２３を容易に操作することが可能となる。
【００３３】
（４）第１接触センサ２３がアームレスト１５の両方に設けられるため、車両シート１０の状態が変更された場合であっても乗員との位置関係の変化が抑えられる。その結果、第１接触センサ２３を容易に操作することが可能となる。
【００３４】
（５）一対のアームレスト１５のそれぞれに設けられた第１接触センサ２３の両方が接触した状態と検出した場合に駆動部１６による変更が許可される。そのため、乗員の意図しないタイミングでの車両シート１０の状態の変更をより確実に抑えることができる。
【００３５】
（６）第１接触センサ２３によって乗員が接触していないことを検出した際に駆動部１６による変更が禁止されるため、乗員の意図しないタイミングでの車両シート１０の状態の変更が抑えられる。
【００３６】
なお、上記実施形態は、以下のように変更してもよい。
・上記実施形態では、パワーシート制御ＥＣＵ２２は各アームレスト１５に設けられた第１接触センサ２３の両方において乗員が接触した状態である場合に駆動部１６による変更を許可することとしたが、これに限らない。例えば、各アームレスト１５に設けられた第１接触センサ２３の一方において乗員が接触した状態である場合に駆動部１６による変更を許可するようにしてもよい。
【００３７】
・上記実施形態では、各アームレスト１５に第１接触センサ２３を設ける構成を採用したが、例えば一方のみに第１接触センサ２３を設ける構成を採用してもよい。
また、第１接触センサ２３をアームレスト１５以外の場所に設ける構成を採用してもよい。アームレスト１５以外に第１接触センサ２３を設ける場合には車両シート１０に着座した乗員と通常時に接触すると想定される場所以外に設けることが好ましい。
【００３８】
また、例えば、ステアリングやステアリング近傍などの車両シート１０以外の場所に第１接触センサ２３を設ける構成を採用してもよい。
・上記実施形態では、第２接触センサ２４をアームレスト１５の側面１５ｂに設ける構成としたが、アームレスト１５の上面１５ａや車両シート１０の他の部位に設ける構成を採用してもよい。また、ステアリングやステアリング近傍、センターコンソールなどの車両シート１０以外の場所に第２接触センサ２４を設ける構成を採用してもよい。
【００３９】
・上記実施形態では、第２接触センサ２４をダブルタップ操作することで基準変更量よりも小さい変更量で車両シート１０の状態を変更する例を説明したが、これに限らない。例えば、ダブルタップ操作以外であっても同様に基準変更量よりも小さな変更量で車両シート１０の状態を変更する構成としてもよい。また、フリック操作（指を滑らせる動作）などによって基準変更量よりも大きな変更量で車両シート１０の状態を変更してもよい。
【００４０】
・上記実施形態では、第２接触センサ２４を用いる構成としたが、例えばレバーやスイッチ等を変更量調整部として用いる構成を採用してもよい。
・上記実施形態では、第２接触センサ２４を設ける構成を採用したが、省略した構成を採用してもよい。
【００４１】
・上記実施形態では、車両シート１０の一部としてオットマン１４を設ける構成を採用したが、オットマン１４を省略した構成を採用してもよい。この場合、オットマン１４に設けられるオットマン用荷重センサ２１ｄについても省略する構成となる。
【００４２】
・上記実施形態並びに各変形例は適宜組み合わせてもよい。
【符号の説明】
【００４３】
１０…車両シート、１５…アームレスト、１６…駆動部（シート状態変更部）、２０…車両シート制御装置、２１ａ〜２１ｄ…荷重センサ（荷重検出部）、２２…パワーシート制御ＥＣＵ（制御部及び変更許可部）、２３…第１接触センサ（接触センサ）。
【図１】
2019111874.tif 000003
【図２】
2019111874.tif 000004
【図３】
2019111874.tif 000005